(57)【要約】【課題】寒冷地の融雪期に人手による破砕作業を行うことなく、確実に作動させる。【解決手段】水槽１の底近傍から略垂直方向上向きに延びる揚水管１１を有するケーシング１０と、ケーシング１０内に配設されたインペラ１８と、ケーシング１０を貫通してインペラ１８に連結した回転軸１９と、回転軸１９のケーシング１０の外部に位置する端部に連結され、回転軸１９を回転させる駆動手段（水冷式原動機２０）と、水槽１の水面近傍に位置するように揚水管１１の外周部に配設され、揚水管１１の外周部との間に流体通路３９を形成するジャケット３８と、ジャケット３８に接続され、流体通路３９内に所定温度の流体を通過させる融解用流体供給手段（水冷機構２５）とを備える構成とする。【選択図】図１
2011021534.tif 000002
【特許請求の範囲】
【請求項１】
水槽の底近傍から略垂直方向上向きに延びる揚水管を有するケーシングと、
前記ケーシング内に配設されたインペラと、
前記ケーシングを貫通して前記インペラに連結した回転軸と、
前記回転軸の前記ケーシングの外部に位置する端部に連結され、該回転軸を回転させる駆動手段と、
前記水槽の水面近傍に位置するように前記揚水管の外周部に配設され、該揚水管の外周部との間に流体通路を形成するジャケットと、
前記ジャケットに接続され、前記流体通路内に所定温度の流体を通過させる融解用流体供給手段と、
を備えることを特徴とするポンプ。
【請求項２】
前記駆動手段は水冷式原動機で、前記融解用流体供給手段は前記水冷式原動機の水冷機構であり、この水冷機構を構成する冷却水流動配管に、前記ジャケットに接続するジャケット接続管を分岐接続したことを特徴とする請求項１に記載のポンプ。
【請求項３】
前記融解用流体供給手段と前記ジャケットとを接続するジャケット接続管にジャケット切換弁を介設したことを特徴とする請求項１または請求項２に記載のポンプ。
【請求項４】
前記ジャケット接続管の前記融解用流体供給手段とジャケット切換弁との間に位置するように、排出用の真空ポンプを接続したことを特徴とする請求項３に記載のポンプ。
【請求項５】
前記ケーシングは、前記揚水管の上端に連設され略水平方向に水流を変えるように湾曲された吐出エルボを備えるとともに、該吐出エルボに連設され前記インペラを回転可能に配設するポンプケースを備え、
前記真空ポンプは、前記揚水管からポンプケースまで水槽内の水を吸い上げて充満させるためのものであることを特徴とする請求項４に記載のポンプ。
【発明の詳細な説明】
【技術分野】
【０００１】
本発明は、寒冷地に設置するポンプに関するものである。
【背景技術】
【０００２】
雨水などは、排水施設の水槽に集められた後にポンプによって吸い上げられ、下流側の処理場などに排水される。この種のポンプとしては、インペラを回転させる回転軸を略水平方向に配設した横軸ポンプ（特許文献１参照。）や、回転軸を略垂直方向に配設した立軸ポンプがある。これらのポンプは、ケーシングの下端の揚水管が水槽の底近傍から略垂直方向上向きに延びるように設置されている。
【０００３】
寒冷地では、積雪状態が続く冬季には、ポンプ場の水槽に流入する雨水が殆どないので、ポンプを作動させる必要がない。一方、冬季から春季への移行期には、積雪の融解により発生した水（雪解け水）が、比較的多量かつ短期間で排水施設の水槽に流入する。そのため、この融雪期には、ポンプによる排水が可能となっている必要がある。
【０００４】
しかし、融雪期の初期の時点では、水槽内を空にしておいたにも拘わらず、漏水頭により溜まった水槽内の水は、水面から約５００mmにもわたって凍っている。しかも、その氷は、揚水管の外部だけでなく、内部でも凍っている。そのため、ポンプを作動させても水槽内の水を排水することはできない。よって、ポンプを作動させる前に、作業員が水槽内に入って氷を破砕する作業が必要である。
【先行技術文献】
【特許文献】
【０００５】
【特許文献１】特開２００２−２０６４９４号公報
【発明の概要】
【発明が解決しようとする課題】
【０００６】
本発明は、寒冷地の融雪期に人手による破砕作業を行うことなく、確実に作動させることができるポンプを提供することを課題とするものである。
【課題を解決するための手段】
【０００７】
前記課題を解決するため、本発明のポンプは、水槽の底近傍から略垂直方向上向きに延びる揚水管を有するケーシングと、前記ケーシング内に配設されたインペラと、前記ケーシングを貫通して前記インペラに連結した回転軸と、前記回転軸の前記ケーシングの外部に位置する端部に連結され、該回転軸を回転させる駆動手段と、前記水槽の水面近傍に位置するように前記揚水管の外周部に配設され、該揚水管の外周部との間に流体通路を形成するジャケットと、前記ジャケットに接続され、前記流体通路内に所定温度の流体を通過させる融解用流体供給手段と、を備える構成としている。
【０００８】
本発明のポンプは、水槽の水面近傍に位置するように揚水管にジャケットを配設し、その内部に形成される流体通路に、融解用流体供給手段によって所定温度の流体を供給するため、揚水管内および揚水管の周囲の氷を融解させることができる。そのため、周囲に雪が残っている融雪期に、作業員が水槽内に入って氷の破砕作業をすることなく、確実にポンプを作動させることができる。また、積雪時に融解用流体供給手段だけを作動させることにより、揚水管内および揚水管の周囲の凍結を防止できる。
【０００９】
このポンプでは、前記駆動手段は水冷式原動機で、前記融解用流体供給手段は前記水冷式原動機の水冷機構であり、この水冷機構を構成する冷却水流動配管に、前記ジャケットに接続するジャケット接続管を分岐接続することが好ましい。このようにすれば、既存の水冷機構にジャケット接続管を分岐接続するだけで、簡単に融解用流体供給手段を構成することができる。
【００１０】
また、前記融解用流体供給手段と前記ジャケットとを接続するジャケット接続管にジャケット切換弁を介設することが好ましい。
この場合、前記ジャケット接続管の前記融解用流体供給手段とジャケット切換弁との間に位置するように、排出用の真空ポンプを接続することが好ましい。
このようにすれば、ポンプの運転停止時に、ジャケット接続管内の流体を排出した状態に維持できる。その結果、融解用の流体として水を用いる場合に、ジャケット接続管内での凍結を防止できる。そのため、運転開始時には、確実に融解作動させることができる。
【００１１】
なお、前記ケーシングは、前記揚水管の上端に連設され略水平方向に水流を変えるように湾曲された吐出エルボを備えるとともに、該吐出エルボに連設され前記インペラを回転可能に配設するポンプケースを備え、前記真空ポンプは、前記揚水管からポンプケースまで水槽内の水を吸い上げて充満させるためのものである。即ち、揚水管からポンプケースまで水槽内の水を吸い上げて充満させる真空ポンプを、融解用流体の排出手段として兼用することが好ましい。このようにすれば、真空ポンプに接続した吸引管とジャケット接続管とを分岐接続するだけで、簡単に既存設備で排水手段を構成することができる。
【発明の効果】
【００１２】
本発明のポンプでは、揚水管に配設したジャケットの内部の流体通路に、融解用流体供給手段によって所定温度の流体を供給することにより、揚水管内および揚水管の周囲の氷を融解させることができる。そのため、周囲に雪が残っている融雪期に、作業員が水槽内に入って氷の破砕作業をすることなく、確実にポンプを作動させることができる。また、積雪時に融解用流体供給手段だけを作動させることにより、揚水管内および揚水管の周囲の凍結を防止できる。
【図面の簡単な説明】
【００１３】
【図１】本発明に係る実施形態のポンプの構成を示す概略図である。
【図２】揚水管に配設したジャケットを示し、（Ａ）は横断面図、（Ｂ）は縦断面図である。
【図３】揚水管およびジャケットの分解斜視図である。
【図４】各状態での部品の作動状態を示す図表である。
【発明を実施するための形態】
【００１４】
以下、本発明の実施の形態を図面に従って説明する。
【００１５】
図１は、本発明の実施形態に係るポンプを示す。このポンプは、図示しない流入側管路から排水ポンプ場の水槽１内に流入する雨水などを下流側に排水するものである。このポンプには、水槽１の水面に位置するようにジャケット３８が配設され、このジャケット３８に水冷式原動機２０の水冷機構２５を分岐接続することにより、内部および周囲の氷２や雪を融解可能とし、積雪量が多く非作動期間が長い寒冷地に設置できるようにしたものである。
【００１６】
具体的には、本実施形態のポンプは横軸ポンプであり、逆Ｌ形状をなすように延びるケーシング１０を備えている。このケーシング１０は、水槽１の底近傍から垂直方向上向きに延びる直管状の揚水管１１を備えている。本実施形態の揚水管１１は、上下に２分割（１１ａ，１１ｂ）して構成されている。この揚水管１１ｂの下端には、水槽１内の水の吸込口を構成する吸込ベル１２が連設されている。この吸込ベル１２は、下向きに徐々に直径が広くなった略円錐筒状に形成されている。また、揚水管１１ａの上端には、揚水管１１による垂直上向きの水流を水平方向に水流を変える吐出エルボ１３が連設されている。この吐出エルボ１３は、円弧状に湾曲した形状をなし、その外周面に回転軸１９を水平方向に貫通させるための挿通部１４が設けられている。また、この吐出エルボ１３には、内部にインペラ１８を回転可能に配設するポンプケース１５が連設されている。このポンプケース１５は、略楕円球状をなすように径方向外向きに膨出した筒状に形成されている。そして、このポンプケース１５には、吐出弁１６を介して下流側の吐出水槽（図示せず）に排水するための吐出管１７が更に連設されている。なお、これらは簡略的に記載したフランジ部によりそれぞれ連結されている。
【００１７】
前記ケーシング１０のポンプケース１５内には、水槽１内の水を吸い上げるためのインペラ１８が配設されている。このインペラ１８は、ケーシング１０の吐出エルボ１３の挿通部１４を水平方向に貫通するように配設した回転軸１９の先端に連結されている。この回転軸１９は、ポンプケース１５内で図示しない軸受によって回転可能に支持されている。また、この回転軸１９は、ケーシング１０から外部に突出した端部が減速機２４およびクラッチ２２を介して水冷式原動機２０に連結されている。
【００１８】
前記水冷式原動機２０は、回転軸１９を回転させるための駆動手段であり、本実施形態では、軽油や重油などを燃料として駆動する周知のディーゼル（内燃）機関を用いている。この水冷式原動機２０の出力軸２１はクラッチ２２に連結されている。このクラッチ２２は、水冷式原動機２０の動力の伝達をオン（連結）オフ（分離）するものである。このクラッチ２２は、出力側の連結軸２３が減速機２４に連結されている。この減速機２４は、クラッチ２２を介して伝達される水冷式原動機２０の動力（回転）を減速して出力するもので、その出力側に前記回転軸１９が連結されている。
【００１９】
前記水冷式原動機２０には、図示しない内部の冷却通路に冷却水を循環させるための水冷機構２５が接続されている。この水冷機構２５は、過熱した冷却水を空気との熱交換で冷却（放熱）するための熱交換器２６を備えている。この熱交換器２６の出口は、冷却水流動配管２７Ａによって水冷式原動機２０の入口に接続され、熱交換器２６の入口は、冷却水流動配管２７Ｂによって水冷式原動機２０の出口に接続されている。冷却水は、冷却水流動配管２７Ｂに介設したウォーターポンプ２８によって水冷式原動機２０の出口から熱交換器２６の入口、そして、熱交換器２６の出口から水冷式原動機２０の入口へと循環される。これら冷却水流動配管２７Ａ，２７Ｂには、熱交換器２６の出入口近傍に位置するように、開閉状態を切り換える水冷機構切換弁２９Ａ，２９Ｂが介設されている。なお、熱交換器２６の代わりに自然の井戸水を循環させる構成としてもよい。
【００２０】
本実施形態のポンプは横軸ポンプであるため、始動時に水槽１内の水を揚水管１１からポンプケース１５まで吸い上げて、該ポンプケース１５内を水で充満させるための吸引機構３０を備えている。この吸引機構３０は、ケーシング１０のポンプケース１５に吸引孔３１を形成し、この吸引孔３１に真空ポンプ３２を吸引管３３によって接続したものである。この真空ポンプ３２は、水の流入が可能な液封式のものである。この真空ポンプ３２の下流側には、開閉状態を切り換える排気用の吸引機構切換弁３４が設けられ、この吸引機構切換弁３４の下流側が大気開放されている。また、真空ポンプ３２の上流側には、真空ポンプ３２からポンプケース１５に向かう流体移動を防止する逆止弁３５が介設されている。さらに、この逆止弁３５の上流側には、開閉状態を切り換える電動式の排気弁３６が介設されている。そして、この排気弁３６と吸引孔３１との間には、ポンプケース１５内が水で充満したか否かを検出する周知の満水検知器３７が介設されている。
【００２１】
そして、本実施形態では、水槽１の水面近傍に位置するように、ケーシング１０の揚水管１１ｂの外周部にジャケット３８が配設されている。このジャケット３８は、揚水管１１ｂの外周部との間に流体通路３９を形成するものである。そして、この流体通路３９には、水冷式原動機２０の冷却水を通水することにより、揚水管１１ｂの内部およびジャケット３８の外部に位置する氷２や雪を融解できるように構成している。即ち、本実施形態では、水冷式原動機２０の水冷機構２５を、流体通路３９内に所定温度の流体を通過させる融解用流体供給手段として兼用可能に構成している。
【００２２】
具体的には、ジャケット３８は、図２（Ａ），（Ｂ）および図３に示すように、一対の半円筒部材４０Ａ，４０Ｂからなる。各半円筒部材４０Ａ，４０Ｂは、揚水管１１ｂの外径より大きい内径のものである。これら半円筒部材４０Ａ，４０Ｂの上下端には、揚水管１１ｂの外径と略同一の内径となるように縮径部４１が設けられている。また、半円筒部材４０Ａ，４０Ｂの外周部には、軸方向に沿って延びるとともに径方向外向きに突出するフィン４２が設けられている。このフィン４２は、図２（Ａ）に示すように、組付状態で周方向に所定間隔をもって放射状に突出する。そのうち、一方の半円筒部材４０Ａには、その一部にフィン４２の非形成領域が設けられ、この非形成領域に一対の接続部４３Ａ，４３Ｂが軸方向に所定間隔をもって位置するように設けられている。なお、これら接続部４３Ａ，４３Ｂには、図示しないネジ止穴が設けられている。上下に位置する接続部４３Ａ，４３Ｂは、いずれか一方が入口を構成し、他方が出口を構成するもので、その流動方向に特に制限はない。しかし、氷２を融解する目的では、図１のように下側に位置する接続部４３Ｂを入口とし、上側に位置する接続部４３Ａを出口とすることが好ましい。また、図３に示すように、各半円筒部材４０Ａ，４０Ｂの両側縁に位置するフィン４２ａ，４２ａには、軸方向に沿って所定間隔をもってネジ挿通孔４４が設けられ、図示しないネジで締め付けることにより、揚水管１１ｂの外周部に装着する構成としている。なお、気密性を確保するには、各縮径部４１と揚水管１１ｂとの間にシール部材を配設することが好ましい。さらに、半円筒部材４０Ａ，４０Ｂの内周部には、径方向内向きに突出するように一対の邪魔板４５，４５が設けられている。この邪魔板４５の内周縁は、揚水管１１ｂの外周面との間に所定の隙間が形成されるように内径が設定されている。そして、本実施形態では、この一対の邪魔板４５，４５の間に位置するように、揚水管１１ｂに更に邪魔板４６が設けられている。この邪魔板４６の外周縁は、半円筒部材４０Ａ，４０Ｂの内周面との間に所定の隙間が形成されるように外径が設定されている。
【００２３】
図１に示すように、融解用流体供給手段を構成するために、本実施形態の水冷機構２５の冷却水流動配管２７Ａ，２７Ｂには、それぞれジャケット接続管４７Ａ，４７Ｂが分岐接続されている。具体的には、熱交換器２６の出口と水冷式原動機２０の入口とを接続した冷却水流動配管２７Ａにジャケット接続管４７Ａが分岐接続され、このジャケット接続管４７Ａがジャケット３８の出口を構成する接続部４３Ａに接続されている。また、水冷式原動機２０の出口と熱交換器２６の入口とを接続した冷却水流動配管２７Ｂにジャケット接続管４７Ｂが分岐接続され、このジャケット接続管４７Ｂがジャケット３８の入口を構成する接続部４３Ｂに接続されている。これにより、冷却水は、ウォーターポンプ２８によって水冷式原動機２０の出口からジャケット３８の入口（接続部４３Ｂ）へ、そして、ジャケット３８の出口（接続部４３Ａ）から水冷式原動機２０の入口へと循環可能に構成されている。なお、ジャケット接続管４７Ａ，４７Ｂには、冷却水流動配管２７Ａ，２７Ｂとの分岐接続部近傍に位置するように、開閉状態を切り換えるジャケット切換弁４８Ａ，４８Ｂが介設されている。
【００２４】
また、本実施形態では、吸引機構３０の真空ポンプ３２を、ジャケット接続管４７Ａ，４７Ｂ内の冷却水を排出するための排出手段として兼用する構成としている。具体的には、冷却水流動配管２７Ａと吸引管３３とを連通する排出管４９が設けられている。この排出管４９の一端は、冷却水流動配管２７Ａにおいて、ジャケット接続管４７Ａとの分岐接続部の下流側（水冷式原動機２０側）に位置するように接続されている。また、排出管４９の他端は、吸引管３３において、逆止弁３５と排気弁３６の間に位置するように接続されている。そして、この排出管４９には、開閉状態を切り換える電動式の排出切換弁５０が介設されている。なお、本実施形態では、吸引管３３とジャケット接続管４７Ａとを冷却水流動配管２７Ａを介して接続したが、吸引管３３とジャケット接続管４７Ａとを直接接続する構成としてもよい。但し、この場合には、排出管４９は、ジャケット切換弁４８Ａ，４８Ｂに対して分岐接続部の側、即ち、融解用流体供給手段を構成する水冷機構２５の側に接続する。
【００２５】
次に、このように構成したポンプの作動について説明する。
【００２６】
図１に示すように、寒冷地では、春先になっても水槽１の水面が凍結により凍っており、揚水管１１の内部も凍っている。そのため、ポンプの運転を開始する際には、まず氷２の融解作動を実行する。
【００２７】
図４に示すように、融解作動では、吐出弁１６、吸引機構切換弁３４、排気弁３６および排出切換弁５０を閉状態とし、ジャケット切換弁４８Ａ，４８Ｂを開状態とする。また、真空ポンプ３２は停止したオフ状態とする。さらに、クラッチ２２はオフ状態とし、回転軸１９への動力の伝達を遮断する。この状態で、水冷式原動機２０を動作させるとともに、ウォーターポンプ２８を動作させる。また、水冷機構切換弁２９Ａ，２９Ｂは、ジャケット接続管４７Ａ，４７Ｂおよびジャケット３８内の流体通路３９が冷却水で充満するまでの所定時間、開状態とした後に閉状態とする。
【００２８】
これにより、ポンプは、水冷式原動機２０は動作しているが、インペラ１８は回転しない。また、ウォーターポンプ２８の動作により、水冷式原動機２０の冷却により過熱された冷却水が、冷却水流動配管２７Ｂ、ジャケット接続管４７Ｂ、流体通路３９、ジャケット接続管４７Ａおよび冷却水流動配管２７Ａを経て循環供給される。この際、本実施形態では流体通路３９内に邪魔板４５，４６を設けているため、過熱された冷却水が揚水管１１およびジャケット３８に衝突するように蛇行する。そのため、通水（熱交換）時間を確保できる。その結果、揚水管１１内の氷２、および、ジャケット３８の周囲の氷２を、冷却水の熱で融解することができる。そして、この融解作動により水槽１内の水の排水が可能になると、運転始動を行う。なお、この融解作動は、水槽１の表面が凍結していない場合には実行されず、直接以下の運転始動が実行される。
【００２９】
運転始動では、水冷機構切換弁２９Ａ，２９Ｂ、吸引機構切換弁３４および排気弁３６を開状態とし、吐出弁１６、ジャケット切換弁４８Ａ，４８Ｂおよび排出切換弁５０を閉状態とする。また、クラッチ２２はオン状態として回転軸１９に動力を伝達可能な状態とするが、水冷式原動機２０およびウォーターポンプ２８は動作を停止する。この状態で、真空ポンプ３２を動作させる。
【００３０】
これにより、ポンプは、水冷式原動機２０は動作していないため、インペラ１８は回転しない。しかし、真空ポンプ３２の動作によりケーシング１０内の空気が吸引され、負圧により水槽１内の水が揚水管１１から吸い上げられる。そして、ポンプケース１５内が水で充満したことを満水検知器３７で検出すると、吸引機構切換弁３４および排気弁３６を閉状態とするとともに、真空ポンプ３２の動作を停止し、ケーシング１０内の負圧状態を維持する。その後、通常の排水運転を開始する。
【００３１】
排水運転では、吐出弁１６および水冷機構切換弁２９Ａ，２９Ｂを開状態とし、吸引機構切換弁３４、排気弁３６、ジャケット切換弁４８Ａ，４８Ｂおよび排出切換弁５０を閉状態とする。また、真空ポンプ３２は停止状態とする。さらに、クラッチ２２をオン状態として減速機２４を介して回転軸１９に動力を伝達可能とし、水冷式原動機２０を動作させるとともに、ウォーターポンプ２８を動作させる。
【００３２】
これにより、ポンプは、水冷式原動機２０の動力でインペラ１８が回転する。その結果、ポンプケース１５内に充満している水が吐出管１７を介して下流側に排水される。また、この排水により揚水管１１内には吸引力が作用し、水槽１内の水が連続的に吸引および排水される。また、冷却水は、冷却水流動配管２７Ａ，２７Ｂだけにより、水冷式原動機２０および熱交換器２６の間で循環され、水冷式原動機２０を効率的に冷却できる。
【００３３】
このようにして、融雪期になると融解作動および運転始動を経て通常の排水運転を行う。そして、雪が降る冬季に近づくと、ポンプの排水運転を停止する。そして、本実施形態では、融解用流体供給手段によって供給する流体を、水冷式原動機２０を冷却する冷却水を用いる構成としており、この冷却水は周知の不凍液を混入したものであるが、万が一の凍結を防ぐために、ジャケット接続管４７Ａ，４７Ｂ内の冷却水の排出作業を行う。
【００３４】
この運転停止時の排出作業では、吸引機構切換弁３４、ジャケット切換弁４８Ａ，４８Ｂおよび排出切換弁５０を開状態とし、吐出弁１６、水冷機構切換弁２９Ａ，２９Ｂおよび排気弁３６を閉状態とする。また、クラッチ２２をオフ状態とし、水冷式原動機２０は運転を停止した状態とするとともに、ウォーターポンプ２８も動作を停止した状態とする。そして、真空ポンプ３２を動作させる。
【００３５】
これにより、ポンプは、真空ポンプ３２の動作により、吸引管３３から排出管４９を経て、冷却水流動配管２７Ａ，２７Ｂおよび流体通路３９を含むジャケット接続管４７Ａ，４７Ｂ内の冷却水が吸引され、外部へ排出される。そして、流体通路３９およびジャケット接続管４７Ａ，４７Ｂ内の冷却水の排出が完了すると、ポンプを全く動作させない非作動期間に移行する。
【００３６】
なお、この運転停止中には、吐出弁１６、水冷機構切換弁２９Ａ，２９Ｂ、吸引機構切換弁３４、排気弁３６、ジャケット切換弁４８Ａ，４８Ｂおよび排出切換弁５０の全てを閉状態とする。また、クラッチ２２は、凍結防止のためオフ状態とし、水冷式原動機２０、ウォーターポンプ２８および真空ポンプ３２は、全て動作を停止する。また、次にポンプを作動させる時には、排出した冷却水の補充を行う。
【００３７】
このように、本発明のポンプは、水槽１の水面近傍に位置するように揚水管１１にジャケット３８を配設し、その内部に形成される流体通路３９に、水冷式原動機２０によって過熱された冷却水を供給可能に構成しているため、揚水管１１内および揚水管１１（ジャケット３８）の周囲の氷２を融解することができる。そのため、周囲に雪が残っている融雪期に、作業員が水槽１内に入って氷の破砕作業をすることなく、確実にポンプを作動させることができる。
【００３８】
また、本実施形態では、融解用流体供給手段として、既存の水冷式原動機２０の水冷機構２５を利用しているため、ジャケット接続管４７Ａ，４７Ｂを分岐接続するだけで、簡単に実施できる。しかも、冬季の非作動期間には、真空ポンプ３２によって流体通路３９内およびジャケット接続管４７Ａ，４７Ｂ内の冷却水を排出するため、これらの内部での凍結を防止できる。そのため、運転開始時には、確実に融解作動させることができる。しかも、真空ポンプ３２は、ポンプケース１５の内部に水を充満させる既存のものを利用する構成としているため、吸引管３３とジャケット接続管４７Ａ，４７Ｂとの間に排出管４９を分岐接続するだけで、簡単に実施できる。言い換えれば、既設ポンプにもジャケット３８、ジャケット接続管４７Ａ，４７Ｂおよび排出管４９を追加施工するだけで実施できる。
【００３９】
なお、本発明のポンプは、前記実施形態の構成に限定されるものではなく、種々の変更が可能である。
【００４０】
例えば、前記実施形態では、運転停止中は、ウォーターポンプ２８および真空ポンプ３２の動作を停止する構成としたが、融解作動時の状態で動作させ続ける構成としてもよい。このようにすれば、揚水管１１内および揚水管１１の周囲の凍結を常に防止できる。
【００４１】
また、前記実施形態では、流体通路３９内およびジャケット接続管４７Ａ，４７Ｂ内の冷却水を排水する真空ポンプ３２を、ケーシング１０内に水を充満させる既存のものを兼用する構成としたが、専用に設けてもよい。
【００４２】
さらに、前記実施形態では、水冷式原動機２０の水冷機構２５を氷２の融解用流体として利用したが、自然の井戸水を供給する構成としてもよい。この場合、ボイラー等の加熱手段を介して加熱した液体を供給することが好ましい。また、氷２の融解用流体は液体に限られず、気体または気液混合の流体であってもよい。なお、気体の場合には、専用の加熱手段により加熱した温風や、原動機の排気ガスを供給することが好ましい。また、融解用流体として気体を供給する場合には、真空ポンプ３２を用いた排気手段やジャケット接続管４７Ａ，４７Ｂのジャケット切換弁４８Ａ，４８Ｂは不要である。
【００４３】
そして、前記実施形態では、本発明の融解用流体供給手段を設ける構成を、回転軸１９を水平方向に延びるように配設した横軸ポンプに適用したが、回転軸１９を垂直方向に延びるように配設した立軸ポンプでも同様に適用可能である。
【符号の説明】
【００４４】
１…水槽
１０…ケーシング
１１（１１ａ，１１ｂ）…揚水管
１３…吐出エルボ
１５…ポンプケース
１７…吐出管
１８…インペラ
１９…回転軸
２０…水冷式原動機（駆動手段）
２５…水冷機構（融解用流体供給手段）
２６…熱交換器
２７Ａ，２７Ｂ…冷却水流動配管
２８…ウォーターポンプ
２９Ａ，２９Ｂ…水冷機構切換弁
３０…吸引機構
３２…真空ポンプ
３８…ジャケット
３９…流体通路
４３Ａ，４３Ｂ…接続部
４７Ａ，４７Ｂ…ジャケット接続管
４８Ａ，４８Ｂ…ジャケット切換弁
４９…排出管
５０…排出切換弁
【図１】
2011021534.tif 000003
【図２】
2011021534.tif 000004
【図３】
2011021534.tif 000005
【図４】
2011021534.tif 000006